(57)【要約】【課題】印刷用紙の無駄を抑制することが可能な技術を提供する。【解決手段】  画像処理装置（ＭＦＰ１等）は、ユーザのアクセス権限情報を取得するアクセス権限情報取得部１１と、処理対象文書の各ページに設定されたアクセス制限情報を取得するアクセス制限情報取得部１２と、アクセス権限情報とアクセス制限情報とに基づいて、処理対象文書の各ページにユーザがアクセス可能か否かを判定する判定部１３と、判定部１３によってアクセス不可能であると判定されたページを削除して、処理対象文書の印刷出力用画像を生成する印刷出力制御部１４とを備える。【選択図】図２
2009060305.tif 000002
【特許請求の範囲】
【請求項１】
画像処理装置であって、
ユーザのアクセス権限情報を取得する第１取得手段と、
処理対象文書の各ページに設定されたアクセス制限情報を取得する第２取得手段と、
前記アクセス権限情報と前記アクセス制限情報とに基づいて、前記処理対象文書の各ページに前記ユーザがアクセス可能か否か、を判定する判定手段と、
アクセス不可能であると判定されたページを削除して、前記処理対象文書の印刷出力用画像を生成する制御手段と、
を備えることを特徴とする画像処理装置。
【請求項２】
請求項１に記載の画像処理装置において、
前記印刷出力用画像は、前記判定手段の判定結果に応じて削除されたページの番号を記載したレポートページの画像を含むことを特徴とする画像処理装置。
【請求項３】
請求項１に記載の画像処理装置において、
前記第１取得手段は、前記アクセス権限情報として、複数のレベルのいずれかが規定されたアクセス権限レベルに関する情報を取得し、
前記第２取得手段は、前記アクセス制限情報として、複数のレベルのいずれかが規定されたアクセス制限レベルに関する情報を取得し、
前記判定手段は、前記ユーザの前記アクセス権限レベルと前記処理対象文書の前記各ページに関する前記アクセス制限レベルとの大小関係に基づいて、前記印刷出力対象文書の各ページに前記ユーザがアクセス可能か否かを判定することを特徴とする画像処理装置。
【請求項４】
請求項３に記載の画像処理装置において、
前記第１取得手段は、各ユーザのアクセス権限レベルを規定するデータテーブルに基づいて、前記ユーザの前記アクセス権限レベルを取得することを特徴とする画像処理装置。
【請求項５】
印刷出力装置であって、
ユーザのアクセス権限情報を取得する第１取得手段と、
印刷出力対象文書の各ページに設定されたアクセス制限情報を取得する第２取得手段と、
前記アクセス権限情報と前記アクセス制限情報とに基づいて、前記印刷出力対象文書の各ページに前記ユーザがアクセス可能か否か、を判定する判定手段と、
アクセス不可能であると判定されたページを削除して、前記処理対象文書を印刷出力する制御手段と、
を備えることを特徴とする印刷出力装置。
【請求項６】
コンピュータに、
a)ユーザのアクセス権限情報を取得する手順と、
b)処理対象文書の各ページに設定されたアクセス制限情報を取得する手順と、
c)前記アクセス権限情報と前記アクセス制限情報とに基づいて、前記処理対象文書の各ページに前記ユーザがアクセス可能か否か、を判定する手順と、
d)アクセス不可能であると判定されたページを削除して、前記処理対象文書の印刷出力用画像を生成する手順と、
を実行させるためのプログラム。
【発明の詳細な説明】
【技術分野】
【０００１】
本発明は、印刷出力用画像を生成する画像処理装置およびそれに関連する技術に関する。
【背景技術】
【０００２】
機密情報を含む文書（機密文書）に関して、文書単位で印刷出力を制限する技術が存在する。
【０００３】
また、機密文書の中には、文書全体が機密情報であるものだけでなく、当該文書の一部ページのみに機密情報が含まれるものも存在する。そして、後者のような文書については、ページ単位で印刷出力を制限したいという要求も存在する。
【０００４】
そこで、後者のような文書（すなわち一部ページのみに機密情報を含む文書）に関して、文書全体の印刷出力を制限するのではなく、当該一部のページについてのみ印刷出力を制限する技術が提案されている。
【０００５】
例えば、特許文献１においては、コピー対象文書（印刷出力対象文書）にコピー禁止ページが含まれる場合には、当該コピー禁止ページを白紙にして印刷出力すること、あるいは、当該コピー禁止ページ内の内容を一旦消去した後に当該ページに「コピー禁止」等の文字を埋め込んで印刷出力することが記載されている。
【０００６】
【特許文献１】特開２００６−２２９７０９号公報
【発明の開示】
【発明が解決しようとする課題】
【０００７】
しかしながら、上記のような手法を採用する場合には、印刷出力対象文書に含まれるページは、アクセス権限を有していないために印刷出力できないページであっても、白紙ページ、あるいはコピー禁止などの文字が埋め込まれたページとして、必ず印刷出力されてしまう。そのため、印刷用紙が無駄に消費されてしまうことになる。
【０００８】
そこで、この発明の課題は、印刷用紙の無駄を抑制することが可能な技術を提供することにある。
【課題を解決するための手段】
【０００９】
上記課題を解決すべく、請求項１の発明は、画像処理装置であって、ユーザのアクセス権限情報を取得する第１取得手段と、処理対象文書の各ページに設定されたアクセス制限情報を取得する第２取得手段と、前記アクセス権限情報と前記アクセス制限情報とに基づいて、前記処理対象文書の各ページに前記ユーザがアクセス可能か否か、を判定する判定手段と、アクセス不可能であると判定されたページを削除して、前記処理対象文書の印刷出力用画像を生成する制御手段とを備えることを特徴とする。
【００１０】
請求項２の発明は、請求項１の発明に係る画像処理装置において、前記印刷出力用画像は、前記判定手段の判定結果に応じて削除されたページの番号を記載したレポートページの画像を含むことを特徴とする。
【００１１】
請求項３の発明は、請求項１の発明に係る画像処理装置において、前記第１取得手段は、前記アクセス権限情報として、複数のレベルのいずれかが規定されたアクセス権限レベルに関する情報を取得し、前記第２取得手段は、前記アクセス制限情報として、複数のレベルのいずれかが規定されたアクセス制限レベルに関する情報を取得し、前記判定手段は、前記ユーザの前記アクセス権限レベルと前記処理対象文書の前記各ページに関する前記アクセス制限レベルとの大小関係に基づいて、前記印刷出力対象文書の各ページに前記ユーザがアクセス可能か否かを判定することを特徴とする。
【００１２】
請求項４の発明は、請求項３の発明に係る画像処理装置において、前記第１取得手段は、各ユーザのアクセス権限レベルを規定するデータテーブルに基づいて、前記ユーザの前記アクセス権限レベルを取得することを特徴とする。
【００１３】
請求項５の発明は、印刷出力装置であって、ユーザのアクセス権限情報を取得する第１取得手段と、印刷出力対象文書の各ページに設定されたアクセス制限情報を取得する第２取得手段と、前記アクセス権限情報と前記アクセス制限情報とに基づいて、前記印刷出力対象文書の各ページに前記ユーザがアクセス可能か否か、を判定する判定手段と、アクセス不可能であると判定されたページを削除して、前記処理対象文書を印刷出力する制御手段とを備えることを特徴とする。
【００１４】
請求項６の発明は、コンピュータに、a)ユーザのアクセス権限情報を取得する手順と、b)処理対象文書の各ページに設定されたアクセス制限情報を取得する手順と、c)前記アクセス権限情報と前記アクセス制限情報とに基づいて、前記処理対象文書の各ページに前記ユーザがアクセス可能か否か、を判定する手順と、d)アクセス不可能であると判定されたページを削除して、前記処理対象文書の印刷出力用画像を生成する手順と、を実行させるためのプログラムであることを特徴とする。
【発明の効果】
【００１５】
請求項１ないし請求項６に記載の発明によれば、アクセス不可能であると判定されたページは、印刷出力されないため、印刷用紙の無駄を抑制することが可能である。
【００１６】
特に、請求項２に記載の発明によれば、削除ページの番号を記載したレポートページが生成されるので、何れのページが削除されているかが判り易い。
【発明を実施するための最良の形態】
【００１７】
以下、本発明の実施形態を図面に基づいて説明する。
【００１８】
＜１．構成＞
図１は、印刷システム１００の構成を示す概略図である。
【００１９】
図１に示すように、印刷システム１００は、マルチ・ファンクション・ペリフェラル（Multi Function Peripheral）（ＭＦＰとも略称する）１を備えている。
【００２０】
ＭＦＰ１は、ネットワークＮＷを介して複数のコンピュータ９０等に接続されており、当該コンピュータ９０からの印刷出力指令（単に印刷指令とも称する）を受け付け、当該印刷指令に基づいて印刷出力動作を実行する。なお、ネットワークＮＷは、ＬＡＮ（Local Area Network）およびインターネットなどの各種のネットワークを含む。
【００２１】
ＭＦＰ１は、上述のように印刷出力機能を有しており、印刷出力装置（単に印刷装置とも称する）として機能する。また、ＭＦＰ１は、印刷出力用画像を生成する画像処理装置としても機能する。
【００２２】
図２は、ＭＦＰ１の構成を示す機能ブロック図である。ＭＦＰ１は、スキャナ機能、プリンタ機能、コピー機能およびファクシミリ通信機能などを備える装置（複合機とも称する）である。具体的には、ＭＦＰ１は、画像読取部２と、印刷出力部３と、通信部４と、格納部５と、入出力部６と、コントローラ９とを備えており、これらの各部を複合的に動作させることによって、上記の各機能を実現する。
【００２３】
画像読取部２は、ＭＦＰ１の所定の位置に載置された原稿を光学的に読み取って、当該原稿の画像データ（原稿画像とも称する）を生成する処理部である。
【００２４】
印刷出力部３は、対象画像に関する画像データに基づいて紙などの各種の媒体に画像を印刷出力する出力部である。
【００２５】
通信部４は、公衆回線等を介したファクシミリ通信を行うことが可能な処理部である。さらに、通信部４は、通信ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、ＭＦＰ１は、所望の相手先との間で各種のデータを授受することが可能である。なお、ＭＦＰ１は、このネットワーク通信を利用することによって、電子メールの送受信を行うことも可能である。
【００２６】
格納部５は、ハードディスクドライブ（ＨＤＤ）等の格納装置で構成される。この格納部５には、画像読取部２等で生成された原稿画像が格納される。また、格納部５には、ユーザ認証情報等も記憶されている。
【００２７】
入出力部６は、ＭＦＰ１に対する入力を受け付ける操作入力部６１と、各種情報の表示出力を行う表示部６２とを備えている。詳細には、ＭＦＰ１には操作パネル６３（図１参照）が設けられている。この操作パネル６３は、液晶表示パネルに圧電センサ等が埋め込まれて構成されており、表示部６２の一部として機能するとともに、操作入力部６１の一部としても機能する。
【００２８】
コントローラ９は、ＭＦＰ１を統括的に制御する制御装置であり、ＣＰＵと、各種の半導体メモリ（ＲＡＭおよびＲＯＭ等）とを備えて構成される。コントローラ９の制御下において各種の処理部が動作することによって、ＭＦＰ１の各種の機能が実現される。例えば、コントローラ９の制御下において、画像読取部２を用いて所望の画像を光学的に読み取ることによって、原稿をスキャニングした画像（原稿画像）が取得され、スキャナ機能が実現される。また、コントローラ９は、次述するような各種の処理をも制御する。
【００２９】
コントローラ９は、ＣＰＵにおいて、ＲＯＭ（例えば、ＥＥＰＲＯＭ等）内に格納されている所定のソフトウエアプログラム（以下、単にプログラムとも称する）を実行することによって、各種の処理部を実現する。コントローラ９は、印刷制御システム（印刷制御装置とも称される）として機能する。
【００３０】
具体的には、コントローラ９は、アクセス権限情報取得部１１と、アクセス制限情報取得部１２と、判定部１３と、印刷出力制御部１４とを含む各種の処理部を実現する。
【００３１】
アクセス権限情報取得部１１は、印刷出力指示者であるユーザＵＴのアクセス権限情報ＭＡを取得する処理部である。
【００３２】
アクセス制限情報取得部１２は、処理対象文書Ｄ１の各ページに設定されたアクセス制限情報ＭＲを取得する処理部である。
【００３３】
判定部１３は、アクセス権限情報ＭＡとアクセス制限情報ＭＲとに基づいて、処理対象文書Ｄ１の各ページに対してユーザＵＴがアクセス可能であるか否か、を判定する処理部である。
【００３４】
印刷出力制御部１４は、処理対象文書Ｄ１に含まれる複数のページ（Ｐ１，Ｐ２，Ｐ３，...）のうち、アクセス不可能であると判定部１３によって判定されたページを削除して、処理対象文書Ｄ１の印刷出力用画像を生成する処理部である。また、印刷出力制御部１４は、生成された印刷出力用画像に基づく印刷出力動作をも制御する。
【００３５】
＜２．動作＞
つぎに、印刷システム１００における動作について説明する。以下では、或るユーザＵＴがコンピュータ９０に対して印刷出力に関する操作入力を行い、当該操作入力に応じて、処理対象文書Ｄ１に関する印刷指令が、コンピュータ９０（９０Ａ）からＭＦＰ１（１Ａ）へと送信された場合を例示する。
【００３６】
ここでは、処理対象文書Ｄ１は、或るユーザＵＤによって予め生成され、ＭＦＰ１の格納部５内に予め格納されているものとする。また、処理対象文書Ｄ１には、図３の上段に示すように、各ページに関するアクセス制限情報ＭＲが、処理対象文書Ｄ１の作成時等において予め付与されている。詳細には、各ページのアクセス制限情報ＭＲは、それぞれ、複数のレベルのいずれかが規定された「アクセス制限レベル」に関する情報を有している。例えば、図３の上段に示すように、
１）第１ページのアクセス制限レベルは、０（ゼロ）であり、
２）第２ページのアクセス制限レベルは、１であり、
３）第３ページのアクセス制限レベルは、３であり、
４）第４ページのアクセス制限レベルは、５であり、
５）第５ページのアクセス制限レベルは、０（ゼロ）である、
として、各ページのアクセス制限レベルが規定される。
【００３７】
ここでは、そのページの機密レベルが高くなるほど、当該ページのアクセス制限レベルの数値が大きく設定されているものとする。
【００３８】
図４〜図６は、ＭＦＰ１の動作を示すフローチャートである。図４は、印刷出力を受け付けたＭＦＰ１の動作を示すメインフローチャートであり、図５および図６は、その一部の動作を示すフローチャートである。図５はステップＳ１１の詳細動作、図６はステップＳ１９の詳細動作を示している。以下では、これらの図に基づいてＭＦＰ１の動作について説明する。
【００３９】
ユーザＵＴは、コンピュータ９０へのログイン時にそのユーザＩＤ（識別情報）を入力することによって、ユーザＵＴであることが既に確認されている。その後、ユーザＵＴが当該コンピュータ９０を操作して、処理対象文書Ｄ１に関する印刷指令がＭＦＰ１へ向けて送出されると、ＭＦＰ１が当該印刷指令を受信する。当該印刷指令には、処理対象文書Ｄ１のファイル名、および印刷出力指示者であるユーザＵＴのユーザＩＤ等が含まれている。
【００４０】
ＭＦＰ１は、このような印刷指令を受信すると、図４に示すように、まず、ステップＳ１１において、ユーザＵＴのアクセス権限情報ＭＡを取得する。
【００４１】
具体的には、図５に示すように、まず、ステップＳ３１において、印刷指令に含まれているユーザＩＤを取得する。
【００４２】
そして、格納部５に格納されているユーザ情報テーブルＴＢ１（図７参照）にアクセスして、ステップＳ３１で取得したユーザＩＤと同一のＩＤ番号がユーザ情報テーブルＴＢ１に存在するか否かが判定される（ステップＳ３２，Ｓ３３）。
【００４３】
このユーザ情報テーブルＴＢ１は、アクセス権限情報ＭＡを規定するテーブルである。アクセス権限情報ＭＡは、「アクセス権限レベル」に関する情報を有しており、「アクセス権限レベル」は、各ユーザに関して複数のレベル（例えば「０」，「１」，「２」，「３」，「４」，「５」の６段階）のいずれかが規定され得る。ユーザ情報テーブルＴＢ１においては、各ユーザＩＤに対応するアクセス権限レベルがそれぞれ規定されている。ここでは、各ユーザＩＤの「アクセス権限レベル」として、ゼロ以外の複数のレベル（「１」〜「５」）のいずれかが設定されているものとする。
【００４４】
ステップＳ３１で取得したユーザＩＤと同じユーザＩＤがテーブルＴＢ１に存在する場合には、ＭＦＰ１は、テーブルＴＢ１にて当該ユーザＩＤに対応して規定されているアクセス権限レベルを、ユーザＵＴのアクセス権限レベルとして取得して設定する（ステップＳ３５）。例えば、ユーザＵＴのユーザＩＤが「１０３２」である場合には、ユーザＵＴのアクセス権限レベルは「２」に設定される（図７参照）。
【００４５】
一方、ステップＳ３１で取得したユーザＩＤと同じユーザＩＤがテーブルＴＢ１に存在しない場合には、ユーザＵＴのアクセス権限レベルとして、最も低いレベル値（具体的には、０（ゼロ））が設定される（ステップＳ３４）。
【００４６】
その後、ステップＳ３６において、削除情報を記述するレポートページ（削除レポートページとも称する）が暫定的に作成される。
【００４７】
図８は、削除レポートページＲＰの一例を示している。なお、図８は、レポートページＲＰの最終的な出力状態を示しているが、ステップＳ３６においては当該レポートページＲＰの内容は未だ定められていない（より詳細には空白である）。また、後述するように、このレポートページＲＰが不要である場合には、ステップＳ４３において当該レポートページＲＰは削除される。このレポートページＲＰについては後述する。
【００４８】
上記のようなステップＳ１１の処理の次には、ステップＳ１２〜Ｓ１８（図４）の処理がＭＦＰ１によって実行される。具体的には、処理対象文書Ｄ１に含まれる複数のページのうち第ｎページ（ｎ＝１，２，３，...）に対する処理（ステップＳ１２〜Ｓ１８）が繰り返し実行される。
【００４９】
まず、第ｎページの内容が読み取られ（ステップＳ１２）、当該第ｎページに関するアクセス制限情報ＭＲが取得される（ステップＳ１３）。アクセス制限情報ＭＲは、「アクセス制限レベル」に関する情報を有している。たとえば、第１ページから第５ページまでのそれぞれのページに関して、上述のようなアクセス制限レベル（図３参照）が設定され得る。
【００５０】
そして、ステップＳ１４において、ユーザＵＴのアクセス権限レベルと処理対象文書Ｄ１の各ページに設定されたアクセス制限レベルとの大小関係に基づいて、処理対象文書Ｄ１の各ページに対して当該ユーザＵＴがアクセス可能か否かが判定される。より詳細には、第ｎページのアクセス制限レベルがユーザＵＴのアクセス権限レベル以下である場合には、ユーザＵＴは当該第ｎページにアクセス可能であると判定される。一方、第ｎページのアクセス制限レベルがユーザＵＴのアクセス権限レベルよりも大きい場合には、ユーザＵＴは当該第ｎページにアクセス不可能であると判定される。
【００５１】
例えば、ユーザＵＴのアクセス権限レベルが「２」であるときには、そのアクセス制限レベルが０（ゼロ）である第１ページおよび第５ページと、そのアクセス制限レベルが１である第２ページとに対してのみ、ユーザＵＴによるアクセスが可能であると判定される。一方、そのアクセス制限レベルが３である第３ページと、そのアクセス制限レベルが５である第４ページとに対しては、ユーザＵＴによるアクセスは不可能であると判定される。
【００５２】
アクセス可能であると判定されると、当該第ｎページに関する印刷出力用の画像（ページ画像とも称する）が生成されるとともに、当該ページ画像に基づく印刷出力処理が実行される（ステップＳ１７）。
【００５３】
一方、アクセス不可能であると判定されると、当該第ｎページは印刷出力対象から除外（削除）される（ステップＳ１５）。すなわち、処理対象文書Ｄ１は、少なくともその第ｎページが削除された状態で、印刷出力されることになる。そして、次のステップＳ１６において、第ｎページが削除された旨のログ情報がレポートページ（削除レポートページ）ＲＰに記載される。
【００５４】
以上のような動作が、処理対象文書Ｄ１に含まれる全てのページに対して実行される。
【００５５】
この結果、そのアクセス制限レベルがユーザＵＴのアクセス権限レベル以下であるページのみが印刷出力されることになる。例えば、ユーザＵＴのアクセス権限レベルが「２」に設定された場合には、図３の下段に示すように、第３ページと第４ページとが印刷対象から除外（削除）され、第１ページと第２ページと第５ページとがこの順序で印刷出力されることになる。
【００５６】
また、ステップＳ１９では、ＭＦＰ１は、削除レポートページＲＰの生成処理等を実行する。
【００５７】
具体的には、図６に示すように、削除ページの有無が判定され（ステップＳ４１）、削除ページが存在する場合にはステップＳ４２に進み、削除ページが存在しない場合にはステップＳ４３に進む。
【００５８】
ステップＳ４２では、削除レポートページＲＰのページ画像が生成されるとともに、当該ページ画像に基づく印刷出力処理が実行される。これにより、第１ページ、第２ページおよび第５ページ（図３参照）に続いて、削除レポートページＲＰが印刷出力される。この削除レポートページＲＰ（図８参照）においては、全５ページの処理対象文書Ｄ１において、機密情報を含む２つのページ、具体的には、第３ページと第４ページとが削除された旨が記載されている。
【００５９】
一方、ステップＳ４３では、削除レポートページＲＰが不要である、と判定され、削除レポートページＲＰ自体が削除される。これによれば、削除ページが存在しない場合には削除レポートページＲＰ自体が印刷出力されないため、不要な印刷出力を回避できる。
【００６０】
以上のような動作によれば、アクセス権限情報ＭＡとアクセス制限情報ＭＲとに基づいて、処理対象文書の各ページにユーザがアクセス可能か否かが判定される。そして、処理対象文書Ｄ１に含まれる複数のページのうち、アクセス不可能であると判定されたページが除外（削除）されて、処理対象文書Ｄ１の印刷出力用画像が生成され、処理対象文書Ｄ１の印刷出力処理が実行される。したがって、アクセス不可能であると判定されたページは、印刷出力されないため、印刷用紙の無駄を抑制することが可能である。特に、複数のページが削除対象となる場合には、印刷用紙の無駄の抑制効果が大きい。
【００６１】
また、削除ページの番号を記載したレポートページＲＰ（詳細には当該レポートページＲＰの画像）を含む印刷出力用画像が生成され、当該レポートページＲＰが印刷出力されるので、削除ページが存在するか否か、および何れのページが削除されているかが判り易い。
【００６２】
＜３．その他＞
以上、この発明の実施の形態について説明したが、この発明は上記説明した内容のものに限定されるものではない。
【００６３】
たとえば、上記実施形態においては、処理対象文書Ｄ１に含まれる全てのページが印刷対象として指定されている場合について例示したが、これに限定されず、処理対象文書Ｄ１に含まれる一部のページが印刷対象として指定される場合に、上記と同様の思想を適用するようにしてもよい。具体的には、第３ページから第５ページが印刷出力対象として指定される場合には、第３ページおよび第４ページは共に印刷出力されない一方で、第５ページが印刷出力され、さらに、第３ページおよび第４ページが削除された旨が記述されたレポートページＲＰが併せて印刷出力される。
【００６４】
また、上記実施形態においては、ステップＳ１４において、ユーザＵＴのアクセス権限レベルと各ページのアクセス制限レベルとが等しい場合（すなわち等号成立時）には、ユーザＵＴの各ページに対するアクセスが可能であると判定する場合を例示しているが、これに限定されない。例えば、ユーザＵＴのアクセス権限レベルと各ページのアクセス制限レベルとが等しい場合（すなわち等号成立時）には、逆に「アクセス不可能」と判定するようにしてもよい。換言すれば、ユーザＵＴのアクセス権限レベルが、或るページのアクセス制限レベルよりも大きい場合にのみ、当該ユーザＵＴが当該ページにアクセス可能であると判定されるようにしてもよい。
【００６５】
また、上記実施形態においては、レポートページＲＰの要否にかかわらず、レポートページＲＰを暫定的に作成しておき（ステップＳ３６）、不要であると判定される場合にはレポートページＲＰを削除する（ステップＳ４１，Ｓ４３）態様を例示したが、これに限定されない。例えば、削除ページの存在が確認された後にレポートページＲＰの作成を開始するようにしてもよい。
【００６６】
また、上記実施形態においては、ＭＦＰ１は、コンピュータ９０からの印刷指令に応じて印刷出力を実行する場合を例示したが、これに限定されない。例えば、ＭＦＰ１は、コンピュータ９０からの印刷指令だけでなく、他のＭＦＰ１からの印刷指令を受け付けて、印刷出力等を実行することも可能である。あるいは、ＭＦＰ１は、当該ＭＦＰ１自身の操作入力部６１を用いて入力された印刷指令に基づいて、当該ＭＦＰ１自身の格納部５等に格納された処理対象文書Ｄ１の印刷出力等を実行することも可能である。
【図面の簡単な説明】
【００６７】
【図１】印刷システムの構成を示す概略図である。
【図２】ＭＦＰの構成を示す機能ブロック図である。
【図３】処理対象文書に関する印刷出力状況を示す図である。
【図４】印刷出力を受け付けたＭＦＰの動作を示すフローチャートである。
【図５】ステップＳ１１の詳細動作を示すフローチャートである。
【図６】ステップＳ１９の詳細動作を示すフローチャートである。
【図７】ユーザ情報テーブルを示す図である。
【図８】削除レポートページを示す図である。
【符号の説明】
【００６８】
１  ＭＦＰ
９  コントローラ
９０  コンピュータ
１００  印刷システム
Ｄ１  処理対象文書
ＲＰ  レポートページ
ＴＢ１  ユーザ情報テーブル
【図１】
2009060305.tif 000003
【図２】
2009060305.tif 000004
【図３】
2009060305.tif 000005
【図４】
2009060305.tif 000006
【図５】
2009060305.tif 000007
【図６】
2009060305.tif 000008
【図７】
2009060305.tif 000009
【図８】
2009060305.tif 000010